(57)【特許請求の範囲】
【請求項１】
エステル又はエーテルであり、芳香族環を２個以上有する化合物（Ａ１）を含む基油（Ａ）に、数平均分子量が１，０００〜６０，０００であるポリアルキレングリコール（Ｂ）を配合してなり、１５℃における密度が１．１００ｇ／ｃｍ３以上である、潤滑油組成物。
【請求項２】
ポリアルキレングリコール（Ｂ）の配合量が、潤滑油組成物の全量基準で、０．２〜１５質量％である、請求項１に記載の潤滑油組成物。
【請求項３】
ポリアルキレングリコール（Ｂ）が、下記一般式（ｂ１）で表される化合物である、請求項１又は２に記載の潤滑油組成物。
Ｒ１−［（ＯＲ２）ａ−ＯＲ３］ｂ      （ｂ１）
（上記一般式（ｂ１）中、Ｒ１は、水素原子、炭素数１〜１０の１価の炭化水素基、炭素数２〜１０のアシル基、炭素数１〜１０の２〜６価の炭化水素基、又は、環形成原子数３〜１０の複素環基である。
Ｒ２は、炭素数２〜４のアルキレン基である。
Ｒ３は、水素原子、炭素数１〜１０の１価の炭化水素基、炭素数２〜１０のアシル基、又は、環形成原子数３〜１０の複素環基である。
ｂは１〜６の整数であり、ａは１以上の数である。なお、Ｒ２及びＲ３が複数存在する場合は、複数のＲ２及びＲ３は、互いに同一であってもよく、異なっていてもよい。）
【請求項４】
前記一般式（ｂ１）中のｂが２又は３である、請求項３に記載の潤滑油組成物。
【請求項５】
化合物（Ａ１）が、一分子の少なくとも一方の末端に芳香族環を有する、エステル又はエーテルである、請求項１〜４のいずれか１項に記載の潤滑油組成物。
【請求項６】
化合物（Ａ１）が、下記一般式（ａ１１）で表される化合物である、請求項１〜５のいずれか１項に記載の潤滑油組成物。
【化１】
0005941972.tif 000008
（上記式（ａ１１）中、ＲＡ及びＲＢは、それぞれ独立に、炭素数１〜３０のアルキル基、環形成炭素数３〜１２のシクロアルキル基、環形成炭素数６〜１２のアリール基、炭素数２〜３０のアルキルオキシカルボニル基、又は、炭素数２〜３０のアルキルカルボニルオキシ基である。
ＸＡ及びＸＢは、それぞれ独立に、単結合、−Ｏ−、−Ｃ（＝Ｏ）−、−Ｃ（＝Ｏ）−Ｏ−、又は−Ｏ−Ｃ（＝Ｏ）−であり、ＸＡ及びＸＢが共に単結合であることはない。
Ｙは、アルキレン基又は（ポリ）オキシアルキレン基である。
ａ１及びａ２は、それぞれ独立に、０又は１である。
ｐ１及びｐ２は、それぞれ独立に、０〜３の整数である。
ｑ１及びｑ２は、それぞれ独立に、０〜５の整数である。）
【請求項７】
化合物（Ａ１）が、下記一般式（ａ１３）で表される化合物である、請求項６に記載の潤滑油組成物。
【化２】
0005941972.tif 000009
（上記式（ａ１３）中、ＲＡ、ＲＢ、ａ１、ａ２、ｐ１、ｐ２、ｑ１、及びｑ２は、請求項６に記載の前記一般式（ａ１１）に関する記載と同じである。
ＸＢ１は、単結合、−Ｏ−、又は−Ｏ−Ｃ（＝Ｏ）−である。
Ａは、炭素数２〜４のアルキレン基であり、ｒは１以上の数である。）
【請求項８】
基油（Ａ）が、化合物（Ａ１）と共に、エステル又はエーテルであり、芳香族環を有さない化合物（Ａ２）（但し、成分（Ｂ）に該当するものを除く）を含む、請求項１〜７のいずれか１項に記載の潤滑油組成物。
【請求項９】
基油（Ａ）中に含まれる、化合物（Ａ１）と化合物（Ａ２）との含有量比〔（Ａ１）／（Ａ２）〕が、質量比で、１／１〜１０／１である、請求項８に記載の潤滑油組成物。
【請求項１０】
基油（Ａ）中に含まれる化合物（Ａ１）及び化合物（Ａ２）の合計含有量が、基油（Ａ）の全量基準で、７０〜１００質量％である、請求項８又は９に記載の潤滑油組成物。
【請求項１１】
化合物（Ａ１）の配合量が、前記潤滑油組成物の全量基準で、３０質量％以上である、請求項１〜１０のいずれか１項に記載の潤滑油組成物。
【請求項１２】
基油（Ａ）の配合量が、前記潤滑油組成物の全量基準で、６０質量％以上である、請求項１〜１１のいずれか１項に記載の潤滑油組成物。
【請求項１３】
４０℃における動粘度が１０〜１５０ｍｍ２／ｓである、請求項１〜１２のいずれか１項に記載の潤滑油組成物。
【請求項１４】
粘度指数が１２０以上である、請求項１〜１３のいずれか１項に記載の潤滑油組成物。
【請求項１５】
油圧機器、回転機器、軸受け、及び歯車のいずれかの機器に用いられる、請求項１〜１４のいずれか１項に記載の潤滑油組成物。
【発明の詳細な説明】
【技術分野】
【０００１】
本発明は、潤滑油組成物に関する。
【背景技術】
【０００２】
従来、例えば、建設機械、射出成形機、プレス機械、クレーン、マシニングセンタ等の各種油圧機器には、油圧作動油として各種潤滑油が使用されている。一般的な潤滑油は、体積弾性係数があまり高くないため、圧力伝達媒体としての機能が十分ではないことから、体積弾性係数が高い潤滑油が求められている。なお、潤滑油の体積弾性係数と密度との間には相関性があり、密度が高い潤滑油は、体積弾性係数が高いと推測される。
例えば、特許文献１及び２には、体積弾性係数が高い油圧作動油として、芳香族環を２個以上有するエステルやエーテルを基油として含む油圧作動油が提案されている。
【０００３】
ところが、特許文献１及び２に記載の油圧作動油は、体積弾性係数が高いが、粘度指数が低く、潤滑油として十分に性能のバランスが取れたものではなかった。
上記問題に対して、特許文献３には、高密度（高体積弾性係数）であり、且つ粘度指数の高い潤滑油組成物として、芳香族環を２個以上有するエステルやエーテル等を含む基油に対して、質量平均分子量が５万以下のポリ（メタ）アクリレートを配合してなる潤滑油組成物が開示されている。
【先行技術文献】
【特許文献】
【０００４】
【特許文献１】国際公開２００８／１３３２３３号明細書
【特許文献２】国際公開２０１０／００５０２２号明細書
【特許文献３】特開２０１３−１９９５４９号公報
【発明の概要】
【発明が解決しようとする課題】
【０００５】
しかしながら、本発明者らの検討によれば、特許文献３に記載の潤滑油組成物は、体積弾性係数及び粘度指数は比較的高いものの、潤滑油が使用中にせん断作用を受け、一時的又は永久的粘度低下を起こす等の懸念があり、せん断安定性に関しては更なる改良の余地があることが判明した。
本発明は、上記課題を鑑みてなされたものであって、高密度（高体積弾性係数）であり、粘度指数が高く、且つ、優れたせん断安定性を有する潤滑油組成物を提供することを目的とする。
【課題を解決するための手段】
【０００６】
本発明者らは、特定のエステル又はエーテルを含む基油に、ポリアルキレングリコールを配合してなる潤滑油組成物が、上記課題を解決し得ることを見出し、本発明を完成された。
すなわち、本発明は、下記〔１〕の潤滑油組成物を提供する。
〔１〕エステル又はエーテルであり、芳香族環を２個以上有する化合物（Ａ１）を含む基油（Ａ）に、ポリアルキレングリコール（Ｂ）を配合してなる、潤滑油組成物。
【発明の効果】
【０００７】
本発明の潤滑油組成物は、高密度（高体積弾性係数）であり、粘度指数が高く、且つ、優れたせん断安定性を有する。そのため、本発明の潤滑油組成物は、使用時のせん断による粘度低下が少なく、長期に亘って優れた性能を発揮することができる。
【発明を実施するための形態】
【０００８】
本明細書において、数平均分子量（Ｍｎ）は、ＧＰＣ（ゲルパーミエーションクロマトグラフィー）法により、標準ポリスチレン換算にて測定した値であって、具体的には実施例に記載の方法により測定した値である。
また、本明細書において、４０℃又は１００℃における動粘度、及び粘度指数は、ＪＩＳ  Ｋ  ２２８３（ＡＳＴＭ  Ｄ  ４４５）に準拠して測定した値である。
さらに、本明細書において、１５℃における密度は、ＪＩＳ  Ｋ  ２２４９に準拠して測定した値である。
【０００９】
〔潤滑油組成物〕
本発明の潤滑油組成物は、エステル又はエーテルであり、芳香族環を２個以上有する化合物（Ａ１）を含む基油（Ａ）に、ポリアルキレングリコール（Ｂ）を配合してなるものである。
なお、本明細書において、「成分（Ａ）に、成分（Ｂ）を配合してなる潤滑油組成物」と規定された潤滑油組成物は、「成分（Ａ）及び成分（Ｂ）を含む潤滑油組成物」だけでなく、「成分（Ａ）及び成分（Ｂ）の少なくとも一方の成分の代わりに、当該成分が変性した変性物を含む潤滑油組成物」や、「成分（Ａ）と成分（Ｂ）とが反応して得られた反応生成物を含む潤滑油組成物」も含まれる。
【００１０】
一般的な油圧機器等に用いられる潤滑油組成物において、体積弾性係数が高い（高剛性）基油である芳香族系のエステル又はエーテルを用いる場合、特許文献３に記載されたように、潤滑油として十分な粘度指数を維持するため、ポリ（メタ）アクリレート等の粘度指数向上剤が配合される。
しかしながら、本発明者らの検討によれば、このような潤滑油組成物の場合、使用中にせん断作用により粘度低下が生じ、せん断安定性が低下することがあることが判明した。
そこで、本発明者らは、エステル又はエーテルであり、芳香族環を２個以上有する化合物（Ａ１）を含む基油（Ａ）に、粘度指数向上剤として、ポリアルキレングリコール（Ｂ）を配合することで、高密度及び高粘度指数であり、且つ、優れたせん断安定性を有する潤滑油組成物となり得ることを見出し、本発明を完成させたものである。
【００１１】
なお、本発明の一態様の潤滑油組成物は、基油（Ａ）として、化合物（Ａ１）と共に、化合物（Ａ１）以外の基油を含有してもよく、当該基油としては、エステル又はエーテルであり、芳香族環を有さない化合物（Ａ２）が好ましい。
また、本発明の一態様の潤滑油組成物には、基油（Ａ）及びポリアルキレングリコール（Ｂ）以外に、一般的な潤滑油用添加剤を配合してもよい。
なお、本発明の一態様の潤滑油組成物中の基油（Ａ）及びポリアルキレングリコール（Ｂ）の合計配合量は、当該潤滑油組成物の全量（１００質量％）基準で、好ましくは７０質量％以上、より好ましくは８０質量％以上、更に好ましくは９０質量％以上、より更に好ましくは９５質量％以上である。
以下、本発明の一態様の潤滑油組成物に含まれる各成分について説明する。
【００１２】
［基油（Ａ）］
本発明の潤滑油組成物は、基油（Ａ）として、エステル又はエーテルであって、芳香族環を２個以上有する化合物（Ａ１）を含む。
また、本発明の一態様で用いる基油（Ａ）は、得られる潤滑油組成物の粘度調整や粘度指数を高める観点から、化合物（Ａ１）と共に、エステル又はエーテルであり、芳香族環を有さない化合物（Ａ２）を含むことが好ましい。
また、本発明の一態様で用いる基油（Ａ）は、本発明の効果を阻害しない範囲において、化合物（Ａ１）及び（Ａ２）には該当しない合成油を含有してもよい。
【００１３】
本発明の一態様で用いる基油（Ａ）中に含まれる化合物（Ａ１）及び化合物（Ａ２）の合計含有量は、基油（Ａ）の全量（１００質量％）基準で、好ましくは７０〜１００質量％、より好ましくは８０〜１００質量％、更に好ましくは９０〜１００質量％、より更に好ましくは９５〜１００質量％である。
【００１４】
本発明の一態様の潤滑油組成物における基油（Ａ）の配合量は、高密度（高体積弾性係数）の潤滑油組成物とする観点から、潤滑油組成物の全量（１００質量％）基準で、好ましくは６０質量％以上、より好ましくは７０質量％以上、更に好ましくは８０質量％以上、より更に好ましくは９０質量％以上であり、また、好ましくは９９．８質量％以下、より好ましくは９９．０質量％以下、更に好ましくは９５質量％以下、より更に好ましくは９０質量％以下である。
【００１５】
本発明の一態様で用いる基油（Ａ）の４０℃における動粘度は、適度な動粘度を有する潤滑油組成物とする観点から、好ましくは１〜１００ｍｍ２／ｓ、より好ましくは５〜８０ｍｍ２／ｓ、更に好ましくは１０〜５０ｍｍ２／ｓである。
また、本発明の一態様で用いる基油（Ａ）の粘度指数は、上記と同様の観点から、好ましくは８０以上、より好ましくは９５以上である。
【００１６】
以下、本発明の一態様で用いる基油（Ａ）に含まれる、化合物（Ａ１）及び化合物（Ａ２）について説明する。
【００１７】
＜化合物（Ａ１）＞
本発明の潤滑油組成物に基油（Ａ）として含まれる化合物（Ａ１）としては、エステル又はエーテルであって、芳香族環を２個以上有する化合物であれば、制限は無い。
なお、本発明の一態様で用いる化合物（Ａ１）は、単独で又は２種以上を併用してもよい。
【００１８】
本発明の一態様で用いる化合物（Ａ１）が有する芳香族環としては、例えば、ベンゼン環、ナフタレン環、アントラセン環、ビフェニル環、アズレン環、フェナントレン環、ピレン環、クリセン環、ターフェニレン環、ｏ−テルフェニル環、ｍ−テルフェニル環、ｐ−テルフェニル環、アセナフテン環、コロネン環、フルオレン環、フルオラントレン環、ナフタセン環、ペンタセン環、ペリレン環、ペンタフェン環、ピセン環、ピレン環、ピラントレン環、アンスラアントレン環等が挙げられる。
これらの中でも、ベンゼン環及びナフタレン環から選ばれる１種以上が好ましく、ベンゼン環がより好ましい。
なお、化合物（Ａ１）としては、「フェニル基を２以上有するエステル又はエーテル」だけでなく、例えば、「ナフチル基（芳香族環を２つ有する基）を１以上有するエステル又はエーテル」も含まれる。
【００１９】
本発明の一態様で用いる化合物（Ａ１）としては、高密度（高体積弾性係数）の潤滑油組成物とする観点から、分子の少なくとも一方の末端に芳香族環を有する、エステル又はエーテルが好ましく、分子の両末端に芳香族環を有する、エステル又はエーテルがより好ましい。
【００２０】
また、本発明の一態様で用いる化合物（Ａ１）としては、下記一般式（ａ１１）で表される化合物であることが好ましい。
【化１】
0005941972.tif 000002
【００２１】
上記式（ａ１１）中、ＲＡ及びＲＢは、それぞれ独立に、炭素数１〜３０のアルキル基、環形成炭素数３〜１２のシクロアルキル基、環形成炭素数６〜１２のアリール基、炭素数２〜３０のアルキルオキシカルボニル基、又は、炭素数２〜３０のアルキルカルボニルオキシ基であり、炭素数１〜３０のアルキル基であることが好ましい。
ＸＡ及びＸＢは、それぞれ独立に、単結合、−Ｏ−、−Ｃ（＝Ｏ）−、−Ｃ（＝Ｏ）−Ｏ−、又は−Ｏ−Ｃ（＝Ｏ）−であり、ＸＡ及びＸＢが共に単結合であることはない。
Ｙは、アルキレン基又は（ポリ）オキシアルキレン基であって、（ポリ）オキシアルキレン基が好ましい。
ａ１及びａ２は、それぞれ独立に、０又は１であり、０であることが好ましい。なお、ａ１及びａ２が０である場合は、単結合となる。
ｐ１及びｐ２は、それぞれ独立に、０〜３の整数であり、０又は１であることが好ましく、０であることがより好ましい。なお、ｐ１及びｐ２が０である場合は、単結合となる。
ｑ１及びｑ２は、それぞれ独立に、０〜５の整数であり、０〜３の整数であることが好ましく、０又は１であることがより好ましく、０であることが更に好ましい。
【００２２】
ＲＡ及びＲＢとして選択し得る、上記アルキル基としては、例えば、メチル基、エチル基、ｎ−プロピル基、イソプロピル基、ｎ−ブチル基、イソブチル基、ｓ−ブチル基、ｔ−ブチル基、ペンチル基（異性体を含む）、ヘキシル基（異性体を含む）、ヘプチル基（異性体を含む）、オクチル基（異性体を含む）、ノニル基（異性体を含む）、デシル基（異性体を含む）等が挙げられる。
なお、当該アルキル基は、直鎖アルキル基であってもよく、分岐鎖アルキル基であってもよい。
当該アルキル基の炭素数としては、好ましくは１〜１０、より好ましくは１〜６、更に好ましくは１〜３である。
【００２３】
ＲＡ及びＲＢとして選択し得る、上記シクロアルキル基としては、例えば、シクロプロピル基、シクロブチル基、シクロペンチル基、シクロヘキシル基、シクロヘプチル基、シクロオクチル基、アダマンチル基等が挙げられる。
当該シクロアルキル基の環形成炭素数としては、好ましくは３〜６、より好ましくは５又は６である。
【００２４】
ＲＡ及びＲＢとして選択し得る、上記アリール基としては、例えば、フェニル基、ビフェニル基、ナフチル基、アントラセニル基等が挙げられる。
当該アリール基の環形成炭素数としては、好ましくは６〜１０、より好ましくは６である。
【００２５】
ＲＡ及びＲＢとして選択し得る、アルキルオキシカルボニル基としては、例えば、メトキシカルボニル基、エトキシカルボニル基等の上述のアルキル基がオキシカルボニル基（−Ｏ−Ｃ（＝Ｏ）−）中のカルボニル基と結合している酸素原子と結合した一価の基が挙げられる。
当該アルキルオキシカルボニル基の炭素数としては、好ましくは２〜１６、より好ましくは２〜１０、更に好ましくは２〜５である。
【００２６】
ＲＡ及びＲＢとして選択し得る、アルキルカルボニルオキシ基としては、例えば、メチルカルボニルオキシ基、エチルカルボニルオキシ基等の上述のアルキル基がカルボニルオキシ基（−Ｃ（＝Ｏ）−Ｏ−）中の炭素原子と結合した一価の基が挙げられる。
当該アルキルオキシカルボニル基の炭素数としては、好ましくは２〜１６、より好ましくは２〜１０、更に好ましくは２〜５である。
【００２７】
Ｙとして選択し得る、アルキレン基としては、例えば、メチレン基、エチレン基、ｎ−プロピレン基、イソプロピレン基、ｎ−ブチレン基、イソブチレン基、ｎ−ペンチレン基、ｎ−ヘキシレン基、ｎ−ヘプチレン基、ｎ−オクチレン基、ｎ−ノニレン基、ｎ−デシレン基、ｎ−ドデシレン基、ｎ−ヘキサデシレン基等が挙げられる。
なお、当該アルキレン基は、直鎖であってもよく、分岐鎖であってもよい。
当該アルキレン基の炭素数としては、好ましくは１〜５０、より好ましくは２〜４０、更に好ましくは３〜３０、より更に好ましくは４〜２０である。
【００２８】
Ｙとして選択し得る、（ポリ）オキシアルキレン基としては、例えば、（ポリ）オキシメチレン基、（ポリ）オキシエチレン基、（ポリ）オキシプロピレン基、（ポリ）オキシイソプロピレン基、（ポリ）オキシブチレン基、（ポリ）オキシイソブチレン基、（ポリ）オキシペンチレン基等が挙げられる。
当該（ポリ）オキシアルキレン基は、直鎖であってもよく、分岐鎖であってもよい。
これらの中でも、（ポリ）オキシエチレン基、（ポリ）オキシプロピレン基、又は（ポリ）オキシイソプロピレン基が好ましく、（ポリ）オキシエチレン基がより好ましい。
なお、本明細書において、例えば「（ポリ）オキシアルキレン基」との用語は、「オキシアルキレン基」と「ポリオキシアルキレン基」の双方を意味する語であり、他の類似用語も同様の意味を示す。
当該（ポリ）オキシアルキレン基の炭素数としては、前記一般式（ａ１１）で表される化合物の数平均分子量の値に応じて適宜設定される。
【００２９】
また、本発明の一態様において、化合物（Ａ１）としては、高密度（高体積弾性係数）の潤滑油組成物とする観点から、下記一般式（ａ１２）で表される化合物であることがより好ましく、下記一般式（ａ１３）で表される化合物であることが更に好ましい。
【００３０】
【化２】
0005941972.tif 000003
【００３１】
上記式（ａ１２）中、ＲＡ、ＲＢ、ａ１、ａ２、ｐ１、ｐ２、ｑ１、ｑ２、及びＹは、前記一般式（ａ１１）に関する記載と同じであり、好適な基（当該基の好適な炭素数の範囲）、好適な数値範囲も上記と同じである。
ＸＢ１は、単結合、−Ｏ−、又は−Ｏ−Ｃ（＝Ｏ）−であり、単結合又は−Ｏ−Ｃ（＝Ｏ）−であることが好ましい。
【００３２】
【化３】
0005941972.tif 000004
【００３３】
上記式（ａ１３）中、ＲＡ、ＲＢ、ａ１、ａ２、ｐ１、ｐ２、ｑ１、及びｑ２は、前記一般式（ａ１１）に関する記載と同じであり、好適な基（当該基の好適な炭素数の範囲）、好適な数値範囲も上記と同じである。
ＸＢ１は、単結合、−Ｏ−、又は−Ｏ−Ｃ（＝Ｏ）−であり、単結合又は−Ｏ−Ｃ（＝Ｏ）−であることが好ましい。
Ａは、炭素数２〜４のアルキレン基であり、例えば、エチレン基（−ＣＨ２ＣＨ２−）、エチリデン基（−ＣＨ（ＣＨ３）−）、トリメチレン基（−ＣＨ２ＣＨ２ＣＨ２−）、プロピレン基（−ＣＨ（ＣＨ３）ＣＨ２−）、プロピリデン基（−ＣＨＣＨ２ＣＨ３−）、イソプロピリデン基（−Ｃ（ＣＨ３）２−）、テトラメチレン基（−ＣＨ２ＣＨ２ＣＨ２ＣＨ２−）、１−メチルトリメチレン基（−ＣＨ（ＣＨ３）ＣＨ２ＣＨ２−）、２−メチルトリメチレン基（−ＣＨ２ＣＨ（ＣＨ３）ＣＨ２−）、ブチレン基（−Ｃ（ＣＨ３）２ＣＨ２−）等が挙げられる。これらの中でも、Ａとしては、エチレン基又は又はプロピレン基が好ましく、エチレン基がより好ましい。
ｒは１以上の数であり、前記一般式（ａ１３）で表される化合物の数平均分子量の値に応じて適宜設定される値である。
なお、異なる２種以上の前記一般式（ａ１３）で表される化合物を用いる場合には、ｒの値は平均値（加重平均値）となり、当該平均値が１以上であればよい。
【００３４】
本発明の一態様で用いる化合物（Ａ１）の数平均分子量（Ｍｎ）としては、好ましくは１００〜５０００、より好ましくは１５０〜３０００、更に好ましくは２００〜１５００、より更に好ましくは２５０〜１０００である。
【００３５】
本発明の一態様で用いる化合物（Ａ１）の４０℃における動粘度は、適度な動粘度かつ高い粘度指数の潤滑油組成物をする観点から、好ましくは５〜８０ｍｍ２／ｓ、より好ましくは１０〜６０ｍｍ２／ｓ、更に好ましくは１５〜５０ｍｍ２／ｓである。
本発明の一態様で用いる化合物（Ａ１）の粘度指数は、上記と同様の観点から、好ましくは５０以上、より好ましくは６０以上、更に好ましくは６５以上である。
本発明の一態様で用いる化合物（Ａ１）の１５℃における密度は、高密度（高体積弾性係数）の潤滑油組成物とする観点から、好ましくは１．１００ｇ／ｃｍ３以上、より好ましくは１．１０５ｇ／ｃｍ３以上、更に好ましくは１．１１０ｃｍ３以上であり、また、通常１．２５０ｇ／ｃｍ３以下である。
【００３６】
本発明の一態様で用いる基油（Ａ）中の化合物（Ａ１）の含有量は、高密度（高体積弾性係数）の潤滑油組成物とする観点から、基油（Ａ）の全量（１００質量％）基準で、好ましくは３０質量％以上、より好ましくは４０質量％以上、更に好ましくは５０質量％以上、より更に好ましくは６０質量％以上であり、また、好ましくは１００質量％以下、より好ましくは９５質量％以下、更に好ましくは９０質量％以下、より更に好ましくは８５質量％以下である。
【００３７】
本発明の一態様の潤滑油組成物中の化合物（Ａ１）の含有量は、高密度（高体積弾性係数）の潤滑油組成物とする観点から、潤滑油組成物の全量（１００質量％）基準で、好ましくは３０質量％以上、より好ましくは４０質量％以上、更に好ましくは５０質量％以上、より更に好ましくは６０質量％以上である。
また、適度な動粘度を有する潤滑油組成物とする観点、及び、（Ｂ）成分の配合量を十分に確保し、優れたせん断安定性を有する潤滑油組成物とする観点から、本発明の一態様の潤滑油組成物中の化合物（Ａ１）の含有量は、潤滑油組成物の全量（１００質量％）基準で、好ましくは９９．８質量％以下、より好ましくは９５質量％以下、更に好ましくは９０質量％以下である。
【００３８】
＜化合物（Ａ２）＞
本発明の一態様で用いる基油（Ａ）は、得られる潤滑油組成物の粘度調整や粘度指数を高める観点から、上述の化合物（Ａ１）と共に、エステル又はエーテルであり、芳香族環を有さない化合物（Ａ２）を含むことが好ましい。
なお、本発明の一態様で用いる化合物（Ａ２）は、単独で又は２種以上を併用してもよい。
【００３９】
化合物（Ａ２）としては、例えば、エチレングリコールエーテルあるいはポリエチレングリコールエーテルのジカルボン酸エステル又はエーテルが挙げられ、具体的には、エチレングリコールモノブチルエーテルのアジピン酸ジエステル、及びジエチレングリコールモノブチルエーテルのアジピン酸ジエステル等のアジピン酸ジエステル、トリエチレングリコールの２−エチルヘキサン酸ジエステル、セバシン酸ジブチル、アジピン酸ジオクチル、アゼライン酸ジオクチル、セバシン酸ジオクチル、テトラエチレングリコールジメチルエーテル、及びコハク酸ジエチル等が挙げられる。
これらの中でも、粘度指数向上の観点から、エチレングリコールエーテルあるいはポリエチレングリコールエーテルのジカルボン酸エステルが好ましく、アジピン酸ジエステルがより好ましい。
【００４０】
本発明の一態様で用いる化合物（Ａ２）の４０℃における動粘度としては、得られる潤滑油組成物の粘度調整や粘度指数を高める観点から、好ましくは１〜３０ｍｍ２／ｓ、より好ましくは１〜２０ｍｍ２／ｓ、更に好ましくは１〜１５ｍｍ２／ｓである。
本発明の一態様で用いる化合物（Ａ２）の粘度指数としては、上記観点から、好ましくは８０以上、より好ましくは１００以上、更に好ましくは１２０以上である。
本発明の一態様で用いる化合物（Ａ２）の１５℃における密度としては、高密度（高体積弾性係数）の潤滑油組成物とする観点から、好ましくは０．９００ｇ／ｃｍ３以上、より好ましくは０．９５０ｇ／ｃｍ３以上、更に好ましくは１．０００ｇ／ｃｍ３以上であり、また、通常１．１００ｇ／ｃｍ３以下である。
【００４１】
本発明の一態様で用いる、化合物（Ａ１）と化合物（Ａ２）との含有量比〔（Ａ１）／（Ａ２）〕としては、質量比で、好ましくは１／１〜１０／１、より好ましくは１．２／１〜８．５／１、更に好ましくは１．５／１〜７／１、より更に好ましくは１．７／１〜５．５／１である。
当該含有量比が上記範囲であれば、粘度調整や粘度指数を高めると共に、高密度（高体積弾性係数）の潤滑油組成物とすることができる。
【００４２】
本発明の一態様で用いる基油（Ａ）中の化合物（Ａ２）の含有量は、上記観点から、基油（Ａ）の全量（１００質量％）基準で、好ましくは５質量％以上、より好ましくは７質量％以上、更に好ましくは１０質量％以上、より更に好ましくは１５質量％以上であり、また、好ましくは７０質量％以下、より好ましくは６０質量％以下、更に好ましくは５０質量％以下、より更に好ましくは４０質量％以下である。
【００４３】
また、本発明の一態様の潤滑油組成物中の化合物（Ａ２）の含有量は、上記観点から、潤滑油組成物の全量（１００質量％）基準で、好ましくは３質量％以上、より好ましくは５質量％以上、更に好ましくは１０質量％以上、より更に好ましくは１５質量％以上であり、また、好ましくは７０質量％以下、より好ましくは６０質量％以下、更に好ましくは５０質量％以下、より更に好ましくは４０質量％以下である。
【００４４】
＜化合物（Ａ１）及び（Ａ２）以外の合成油＞
本発明の一態様で用いる基油（Ａ）は、本発明の効果を阻害しない範囲において、化合物（Ａ１）及び（Ａ２）以外の合成油を含有してもよい。つまり、基油（Ａ）は、３種以上の合成油から構成されてもよい。
【００４５】
当該合成油としては、例えば、ポリブテン、及びα−オレフィン単独重合体又は共重合体（例えば、エチレン−α−オレフィン共重合体等の炭素数８〜１４のα−オレフィン単独重合体又は共重合体）等のポリα−オレフィン；アルキルベンゼン；アルキルナフタレン；フィッシャー・トロプシュ法等により製造されるワックス（ＧＴＬワックス）を異性化することで得られる合成油等が挙げられる。
【００４６】
［ポリアルキレングリコール（Ｂ）］
本発明で用いるポリアルキレングリコール（Ｂ）としては、例えば、アルキレンオキシドが重合又は共重合して得られる重合体が挙げられる。
なお、本発明の一態様で用いるポリアルキレングリコール（Ｂ）は、単独で又は２種以上を併用してもよい。
これらの中でも、高密度（高体積弾性係数）及び高粘度指数を維持しつつ、せん断安定性を向上させた潤滑油組成物とする観点から、ポリアルキレングリコール（Ｂ）としては、下記一般式（ｂ１）で表される化合物であることが好ましい。
Ｒ１−［（ＯＲ２）ａ−ＯＲ３］ｂ      （ｂ１）
【００４７】
上記一般式（ｂ１）中、Ｒ１は、水素原子、炭素数１〜１０の１価の炭化水素基、炭素数２〜１０のアシル基、炭素数１〜１０の２〜６価の炭化水素基、又は、環形成原子数３〜１０の複素環基である。
Ｒ２は、炭素数２〜４のアルキレン基である。
Ｒ３は、水素原子、炭素数１〜１０の１価の炭化水素基、炭素数２〜１０のアシル基、又は、環形成原子数３〜１０の複素環基である。
【００４８】
ｂは１〜６の整数であるが、高密度（高体積弾性係数）及び高粘度指数を維持しつつ、せん断安定性を向上させた潤滑油組成物とする観点から、好ましくは１〜４の整数、より好ましくは２又は３、更に好ましくは３である。
なお、ｂは、前記一般式（ｂ１）中のＲ１との結合部位の数に応じて定められる。例えば、Ｒ１がアルキル基やシクロアルキル基等の１価の炭化水素基やアシル基の場合には、ｂは１となる。また、Ｒ１が炭化水素基又は複素環基であり、当該基の価数が２、３、４、５、及び６価である場合、ｂはそれぞれ２、３、４、５及び６となる。
【００４９】
ａは、１以上の数であり、前記一般式（ｂ１）で表される化合物の数平均分子量の値に応じて適宜設定される値である。
なお、異なる２種以上の前記一般式（ｂ１）で表される化合物を用いる場合には、ｒの値は平均値（加重平均値）となり、当該平均値が１以上であればよい。
また、Ｒ２及びＲ３が複数存在する場合は、複数のＲ２及びＲ３は、互いに同一であってもよく、異なっていてもよい。
【００５０】
Ｒ１及びＲ３して選択し得る、上記１価の炭化水素基としては、例えば、メチル基、エチル基、ｎ−プロピル基、イソプロピル基、ｎ−ブチル基、イソブチル基、ｓｅｃ−ブチル基、ｔｅｒｔ−ブチル基、各種ペンチル基、各種ヘキシル基、各種ヘプチル基、各種オクチル基、各種ノニル基、各種デシル基等のアルキル基；シクロペンチル基、シクロヘキシル基、各種メチルシクロヘキシル基、各種エチルシクロヘキシル基、各種プロピルシクロヘキシル基、各種ジメチルシクロヘキシル基等のシクロアルキル基；フェニル基、各種メチルフェニル基、各種エチルフェニル基、各種ジメチルフェニル基、各種プロピルフェニル基、各種トリメチルフェニル基、各種ブチルフェニル基、各種ナフチル基等のアリール基；ベンジル基、各種フェニルエチル基、各種メチルベンジル基、各種フェニルプロピル基、各種フェニルブチル基等のアリールアルキル基；等が挙げられる。
なお、上記アルキル基は直鎖及び分岐鎖のいずれであってもよい。
当該１価の炭化水素基の炭素数としては、好ましくは１〜１０、より好ましくは１〜６、更に好ましくは１〜３である。
【００５１】
Ｒ１及びＲ３として選択し得る、上記炭素数２〜１０のアシル基が有する炭化水素基部分は、直鎖、分岐鎖、環状のいずれであってもよい。当該炭化水素基部分としては、上述のＲ１及びＲ３として選択し得る１価の炭化水素基のうち炭素数１〜９のものが挙げられる。
なお、当該アシル基の炭素数としては、好ましくは２〜１０、より好ましくは２〜６である。
【００５２】
Ｒ１として選択し得る、上記２〜６価の炭化水素基としては、上述のＲ１として選択し得る１価の炭化水素基から更に水素原子を１〜５個除いた残基や、トリメチロールプロパン、グリセリン、ペンタエリスリトール、ソルビトール、１，２，３−トリヒドロキシシクロヘキサン、１，３，５−トリヒドロキシシクロヘキサン等の多価アルコールから水酸基を除いた残基等が挙げられる。
なお、当該２〜６価の炭化水素基の炭素数としては、好ましくは１〜１０、より好ましくは１〜６、更に好ましくは１〜３である。
【００５３】
Ｒ１及びＲ３して選択し得る、上記複素環基としては、酸素原子含有複素環基、又は硫黄原子含有複素環基が好ましい。なお、当該複素環基は、飽和環であってもよく不飽和環であってもい。
当該酸素原子含有複素環基としては、例えば、１，３−プロピレンオキシド、テトラヒドロフラン、テトラヒドロピラン、及びヘキサメチレンオキシド等の酸素原子含有飽和複素環や、アセチレンオキシド、フラン、ピラン、オキシシクロヘプタトリエン、イソベンゾフラン、及びイソクロメン等の酸素原子含有不飽和複素環が有する水素原子を１〜６個除いた残基が挙げられる。
また、当該硫黄原子含有複素環基としては、例えば、エチレンスルフィド、トリメチレンスルフィド、テトラヒドロチオフェン、テトラヒドロチオピラン、及びヘキサメチレンスルフィド等の硫黄原子含有飽和複素環や、アセチレンスルフィド、チオフェン、チアピラン、及びチオトリピリデン等の硫黄原子含有不飽和複素環等が有する水素原子を１〜６個除いた残基が挙げられる。
当該複素環基の環形成原子数としては、好ましくは３〜１０、より好ましくは３〜６、更に好ましくは５又は６である。
【００５４】
Ｒ２として選択し得る、上記アルキレン基としては、例えば、エチレン基（−ＣＨ２ＣＨ２−）、エチリデン基（−ＣＨ（ＣＨ３）−）等の炭素数２のアルキレン基；トリメチレン基（−ＣＨ２ＣＨ２ＣＨ２−）、プロピレン基（−ＣＨ（ＣＨ３）ＣＨ２−）、プロピリデン基（−ＣＨＣＨ２ＣＨ３−）、イソプロピリデン基（−Ｃ（ＣＨ３）２−）等の炭素数３のアルキレン基；テトラメチレン基（−ＣＨ２ＣＨ２ＣＨ２ＣＨ２−）、１−メチルトリメチレン基（−ＣＨ（ＣＨ３）ＣＨ２ＣＨ２−）、２−メチルトリメチレン基（−ＣＨ２ＣＨ（ＣＨ３）ＣＨ２−）、ブチレン基（−Ｃ（ＣＨ３）２ＣＨ２−）等の炭素数４のアルキレン基が挙げられる。
なお、Ｒ２が複数存在する場合、複数のＲ２は、互いに同一であってもよく、２種以上のアルキレン基の組み合わせであってもよい。
これらの中でも、Ｒ２としては、プロピレン基（−ＣＨ（ＣＨ３）ＣＨ２−）が好ましい。
【００５５】
なお、前記一般式（ｂ１）で表される化合物において、オキシプロピレン単位（−ＯＣＨ（ＣＨ３）ＣＨ２−）の含有量は、化合物の構造中のオキシアルキレン（ＯＲ２）の全量（１００モル％）基準で、好ましくは５０〜１００モル％、より好ましくは６５〜１００モル％、更に好ましくは８０〜１００モル％である。
【００５６】
本発明の一態様で用いるポリアルキレングリコール（Ｂ）の数平均分子量（Ｍｎ）は、潤滑油組成物の粘度指数を向上させると共に、優れたせん断安定性を有する潤滑油組成物とする観点から、好ましくは１，０００〜６０，０００、より好ましくは２，５００〜４０，０００、更に好ましくは５，０００〜３０，０００、より更に好ましくは１０，０００〜２０，０００である。
【００５７】
本発明の一態様で用いるポリアルキレングリコール（Ｂ）の２５℃における粘度は、上記と同様の観点から、好ましくは１，０００〜６０，０００ｍＰａ・ｓ、より好ましくは２，０００〜５０，０００ｍＰａ・ｓ、更に好ましくは３，５００〜４０，０００ｍＰａ・ｓ、より更に好ましくは５，０００〜３０，０００ｍＰａ・ｓである。
なお、本明細書において、２５℃における粘度は、ＪＩＳ  Ｋ７１１７−１に準拠して測定した値である。
【００５８】
本発明の一態様の潤滑油組成物におけるポリアルキレングリコール（Ｂ）の配合量は、潤滑油組成物の粘度指数を向上させると共に、優れたせん断安定性を有する潤滑油組成物とする観点から、潤滑油組成物の全量（１００質量％）基準で、好ましくは０．２〜１５質量％、より好ましくは０．５〜１２質量％、更に好ましくは１．０〜１０質量％、より更に好ましくは２．０〜８．０質量％である。
【００５９】
［潤滑油用添加剤］
本発明の一態様の潤滑油組成物は、本発明の課題を解決できる範囲において、基油（Ａ）及びポリアルキレングリコール（Ｂ）以外に、一般的な潤滑油用添加剤を配合してもよい。
このような潤滑油用添加剤としては、例えば、酸化防止剤、清浄分散剤、金属不活性化剤、流動点降下剤、耐摩耗剤、消泡剤、極圧剤、及びポリアルキレングリコール（Ｂ）以外の粘度指数向上剤等が挙げられる。これらの各々の添加剤は、単独で又は２種以上を併用してもよい。
【００６０】
なお、ポリアルキレングリコール（Ｂ）以外の粘度指数向上剤としては、例えば、ポリメタクリレート、ポリエチルメタクリレート、オレフィン系共重合体（例えば、エチレン−プロピレン共重合体等）、スチレン系共重合体（例えば、スチレン−ジエン共重合体、スチレン−イソプレン共重合体等）等が挙げられる。
これらの粘度指数向上剤の数平均分子量（Ｍｎ）としては、通常１，０００〜３００，０００である。
本発明の一態様において、ポリアルキレングリコール（Ｂ）以外の粘度指数向上剤の配合量（樹脂分換算）は、潤滑油組成物の全量（１００質量％）基準で、好ましくは０〜１０質量％、より好ましくは０〜５質量％、更に好ましくは０〜２質量％、より更に好ましくは０〜１質量％である。
なお、一般的に、市販の粘度指数向上剤は、ハンドリング性や基油への溶解性を考慮し、通常希釈油（鉱油又は合成油）に希釈された状態で流通されていることが多いが、上記の粘度指数向上剤の配合量は、希釈油を除いた樹脂分換算の配合量を意味する。さらに、ここでいう「樹脂分」とは、重量平均分子量（Ｍｗ）が１０００以上で、一定の繰り返し単位を有する重合体を意味する。
【００６１】
〔潤滑油組成物の製造方法〕
本発明の一態様の潤滑油組成物は、上述の化合物（Ａ１）を含む基油（Ａ）に、上述のポリアルキレングリコール（Ｂ）を配合することで、製造することができる。
上述のとおり、基油（Ａ）には、上述の化合物（Ａ２）や、化合物（Ａ１）及び（Ａ２）以外の合成油が含まれていてもよい。
また、ポリアルキレングリコール（Ｂ）と共に、上述の潤滑油用添加剤を配合してもよい。
なお、各成分の配合量は、上述のとおりである。
各成分を配合した後、公知の方法により、撹拌して均一に分散させることが好ましい。
なお、各成分を配合後に、成分の一部が変性したり、２成分が互いに反応し、別の成分を生成した場合の得られる潤滑油組成物についても、本発明の技術的範囲に属するものである。
【００６２】
［潤滑油組成物の性状］
本発明の一態様の潤滑油組成物の１５℃における密度は、好ましくは１．１００ｇ／ｃｍ３以上、より好ましくは１．１０５ｇ／ｃｍ３以上である。当該密度が１．１００ｇ／ｃｍ３以上であれば、高い体積弾性係数を有する潤滑油組成物であると推測される。
なお、本発明の一態様の潤滑油組成物の１５℃における密度は、通常１．２５０ｇ／ｃｍ３以下である。
【００６３】
また、本発明の一態様の潤滑油組成物の４０℃における動粘度は、好ましくは１０〜１５０ｍｍ２／ｓ、より好ましくは２５〜７０ｍｍ２／ｓ、更に好ましくは２５〜５５ｍｍ２／ｓである。
当該動粘度が上記範囲内であれば、潤滑油組成物として適度な流動性を有し、例えばシール部分からの液漏れ等を生じることなく消費エネルギーの増大を伴うこともない。
【００６４】
さらに、本発明の一態様の潤滑油組成物の粘度指数は、好ましくは１２０以上、より好ましくは１３０以上、更に好ましくは１４０以上である。
当該粘度指数が１２０以上であれば、粘度の温度依存性が小さくなり、得られる潤滑油組成物を潤滑油として好適に使用できる。
【００６５】
本発明の一態様の潤滑油組成物のＪＰＩ−５Ｓ−２９−８８に準拠して測定した４０℃及び１００℃における動粘度の低下率としては、好ましくは７．０％以下、より好ましくは５．０％以下、更に好ましくは３．０％以下である
【００６６】
〔潤滑油組成物の用途〕
本発明によれば、高密度（高体積弾性係数）で粘度指数が高く、かつ優れたせん断安定性を有する潤滑油組成物を提供することができる。
それ故、本発明の一態様の潤滑油組成物は、油圧機器（建設機械、射出成形機、プレス機械、クレーン、マシニングセンタ、油圧式無段変速機、ロボット、工作機械、油圧機器の油圧回路、サーボ油圧制御回路、ダンパー、ショックアブソーバ、ブレーキシステム、パワーステアリング、圧延機等）、回転機器（ポンプ、圧縮機等）、軸受け（静圧軸受け、すべり軸受け、転がり軸受け等）、及び歯車（ひら歯車、かさ歯車、ウォームギア等）のいずれかの機器に用いられることが好ましい。特に、本発明の一態様の潤滑油組成物は、高い体積弾性係数を有するものであり、高い粘度指数を有し、かつ優れたせん断安定性を有することから、上記油圧機器に好ましく適用できる。
【００６７】
本発明の一態様の潤滑油組成物は高密度であり体積弾性係数が高いため、特に以下に示す高圧油圧性能を発揮する。
（１）潤滑油の圧縮によるエネルギー損失が小さく、省エネルギーが図れる。
（２）油圧の応答性に優れ、油圧回路の高速化が図れる。
（３）油圧の安定性に優れ、油圧制御の高精密化が図れる。
さらに、密度が高いことから、以下に示すように低圧油圧性能も発揮する。
（４）圧力下と常圧下との溶存ガス濃度差が小さいので、リザーバタンクでの気泡生成が少なく、気泡の影響による油圧性能低下が著しく小さい。
（５）気泡と潤滑油との比重差が大きいので、リザーバタンクでの気泡分離速度が速く、気泡の影響による油圧性能低下が著しく小さい。
（６）空気の溶解度が鉱物油よりも約一桁小さいので溶存ガス量が少なく、キャビテーションを起こし難く、エロージョンが起き難い（油圧バルブやポンプ寿命が長くなる）。
【実施例】
【００６８】
次に、実施例により本発明をさらに具体的に説明するが、本発明はこれら実施例に限定されるものではない。
【００６９】
［性状、性能評価］
（１）数平均分子量（Ｍｎ）
ＧＰＣ（ゲルパーミエーションクロマトグラフィー）法により、標準ポリスチレン換算にて測定した。具体的には、以下の装置及び条件下で測定した。
重量平均分子量は、ゲルパーミエーションクロマトグラフィ（ＧＰＣ）を用いて測定した。具体的には、下記ＧＰＣ装置及びカラムを用いて、下記の条件下で測定を行い、標準試料ポリスチレンとして重量平均分子量を求めた。
・ＧＰＣ装置：Waters 1515 Isocratic HPLC Pump + Waters 2414 Refractive Index Detector
・カラム：「ＴＳＫｇｅｌ  ＳｕｐｅｒＭｕｌｔｉｐｏｒｅＨＺ−Ｍ」（東ソー社製）を２本
・カラム温度：４０℃
・溶離液：テトラヒドロフラン
・流速：０．３５ｍＬ／ｍｉｎ
・検出器：屈折率検出器
（２）２５℃における粘度
ＪＩＳ  Ｋ７１１７−１に準拠して測定した。
（３）４０℃又は１００℃における動粘度
ＪＩＳ  Ｋ  ２２８３（ＡＳＴＭ  Ｄ  ４４５）に準拠して測定した。
（４）粘度指数
ＪＩＳ  Ｋ  ２２８３（ＡＳＴＭ  Ｄ  ４４５）に準拠して測定した。
（５）１５℃における密度
ＪＩＳ  Ｋ  ２２４９に準拠して測定した。
（６）超音波せん断安定度
ＪＰＩ−５Ｓ−２９−８８（Ａ法、３０分、３０ｍＬ、測定温度：４０℃及び１００℃、照射時間：３０分）に準拠して試験を行い、試験後の４０℃及び１００℃動粘度から、動粘度の低下率（％）を算出した。
【００７０】
［基油、添加剤］
（基油）
・（ａ−１）：下記式で表される「ポリエチレングリコールジベンゾエート」（下記式中、ｒ＝約４、Ｍｎ＝４００）、４０℃における動粘度＝３４．１ｍｍ２／ｓ、粘度指数＝６６、１５℃における密度＝１．１６８ｇ／ｃｍ３。
【化４】
0005941972.tif 000005
【００７１】
・（ａ−２）：下記式で表される「アジピン酸ビス［２−（２−ブトキシエトキシ）エチル］」（ジエチレングリコールモノブチルエーテルのアジピン酸ジエステル）、４０℃における動粘度＝１１．４３ｍｍ２／ｓ、粘度指数＝１５７、１５℃における密度＝１．０２５６ｇ／ｃｍ３。
【化５】
0005941972.tif 000006
【００７２】
（添加剤）
・（ｂ−１）：旭硝子社製、商品名「ＰＲＥＭＩＮＯＬ  Ｓ  ３０１５」、３官能ポリオキシプロピレングリコール（Ｍｎ＝１５，０００、２５℃における粘度＝６，３００ｍＰａ・ｓ。前記一般式（ｂ１）中、Ｒ１＝３価の炭化水素基、Ｒ２＝プロピレン基、Ｒ３＝水素原子、ａ＝１以上の数、ｂ＝３である化合物）。
・（ｂ−２）：旭硝子社製、商品名「ＰＲＥＭＩＮＯＬ  Ｓ  ４３１８Ｆ」、２官能ポリオキシプロピレングリコール（Ｍｎ＝１８，０００、２５℃における粘度＝２０，０００ｍＰａ・ｓ。前記一般式（ｂ１）中、Ｒ１＝２価の炭化水素基、Ｒ２＝プロピレン基、Ｒ３＝水素原子、ａ＝１以上の数、ｂ＝２である化合物）。
・（ｂ−３）：クラレ（株）製、商品名「パラペットＬＷ１０００」、ポリメチルメタクリレート（Ｍｎ＝３５，０００、２５℃において固体）。なお、表１中の（ｂ−３）の含有量は、ポリメチルメタクリレートの配合量を示す。
・（ｂ−４）：（株）ゼネラルサイエンスコーポレーション製、商品番号「３０１１０３０４」、ポリエチルメタクリレート（Ｍｎ＝２５０，０００、２５℃において固体）を含有。なお、表１中の（ｂ−４）の含有量は、ポリエチルメタクリレートの配合量を示す。
【００７３】
〔実施例１〜３、比較例１〜３〕
表１に示すとおり、上述の化合物（ａ−１）と（ａ−２）とを含む基油（Ａ）に、化合物（ｂ−１）〜（ｂ−４）を表１に示す配合量（樹脂分換算）にて、各々配合して、潤滑油組成物（Ａ）〜（Ｆ）をそれぞれ調製した。
調製した潤滑油組成物（Ａ）〜（Ｆ）の各々について、動粘度（４０℃、１００℃）、粘度指数、密度、及び超音波せん断安定度（４０℃及び１００℃における動粘度低下率）をそれぞれ測定した。これらの結果を表１に示す。
【００７４】
【表１】
0005941972.tif 000007
【００７５】
実施例１〜３で調製した潤滑油組成物（Ａ）〜（Ｃ）は、高い粘度指数を有すると共に、優れたせん断安定性も有する。また、密度が１．１００ｇ／ｃｍ３以上であることから、体積弾性係数が高いと考えられる。
一方、これらの実施例１〜３で調製した潤滑油組成物に比べて、比較例１で調製した潤滑油組成物（Ｄ）は粘度指数が低く、比較例２及び３で調製した潤滑油組成物（Ｅ）及び（Ｆ）はせん断安定度が低い。
【産業上の利用可能性】
【００７６】
本発明の潤滑油組成物は、高密度（高体積弾性係数）であり、粘度指数が高く、且つ、優れたせん断安定性を有する。そのため、本発明の一態様の潤滑油組成物は、例えば、油圧機器、回転機器、軸受け、歯車等の多種多様な機器に好適に使用できる。